(57)【要約】【課題】レンズ鏡筒に設けられた電気接点部と安定的に接続が可能な電気接点部を備えたレンズ駆動アダプタを提供する。【解決手段】レンズ駆動アダプタ１は、操作部材２０３を備えたレンズ鏡筒２に対して取り外し可能に装着される。該アダプタは、操作部材に駆動力を伝達する駆動部材１０６を含む駆動部と、レンズ鏡筒に設けられたレンズ電気接点部２０９に接触することで該レンズ電気接点部に電気的に接続されるアダプタ電気接点部１０９と、駆動部およびアダプタ電気接点部を保持するアダプタ本体１０１とを有する。アダプタ本体は、レンズ鏡筒における周方向の２箇所に２つの結合部１０７を結合させることでレンズ鏡筒に固定される。アダプタ電気接点部は、レンズ鏡筒の光軸方向に対応する方向において、アダプタ本体のうち、駆動部材とは異なる位置であって、２つの結合部の間の位置に配置されている。【選択図】図４
2017015850.tif 000002
【特許請求の範囲】
【請求項１】
操作部材を備えたレンズ鏡筒に対して取り外し可能に装着されるレンズ駆動アダプタであって、
前記操作部材に駆動力を伝達する駆動部材を含む駆動部と、
前記レンズ鏡筒に設けられたレンズ電気接点部に接触することで該レンズ電気接点部に電気的に接続されるアダプタ電気接点部と、
前記駆動部および前記アダプタ電気接点部を保持するアダプタ本体とを有し、
前記アダプタ本体は、前記レンズ鏡筒における周方向の２箇所に２つの結合部を結合させることで前記レンズ鏡筒に固定され、
前記アダプタ電気接点部は、前記レンズ鏡筒の光軸方向に対応する方向において、前記アダプタ本体のうち、前記駆動部材とは異なる位置であって、前記２つの結合部の間の位置に配置されていることを特徴とするレンズ駆動アダプタ。
【請求項２】
前記光軸方向に直交する方向から見たときに、前記アダプタ電気接点部は、該アダプタ電気接点部の少なくとも一部が前記２つの結合部を結ぶ直線に重なるように配置されていることを特徴とする請求項１に記載のレンズ駆動アダプタ。
【請求項３】
該レンズ駆動アダプタが前記レンズ鏡筒に装着された状態において前記光軸方向から見たときに、前記アダプタ電気接点部は、前記レンズ鏡筒の光軸の位置と前記２つの結合部のそれぞれを結ぶ２本の直線がなす劣角側の角度の範囲内に配置されていることを特徴とする請求項１または２に記載のレンズ駆動アダプタ。
【請求項４】
前記２つの結合部は、前記アダプタ本体のうち前記光軸方向に対応する方向における一端部を前記レンズ鏡筒に固定することを特徴とする請求項１から３のいずれか一項に記載のレンズ駆動アダプタ。
【請求項５】
前記２つの結合部は、前記レンズ鏡筒のうち前記操作部材よりもカメラとの接続部に近い部分の前記２箇所に結合することを特徴とする請求項１から４のいずれか一項に記載のレンズ駆動アダプタ。
【請求項６】
請求項１から５のいずれか一項に記載のレンズ駆動アダプタの装着が可能なレンズ鏡筒であって、
該レンズ鏡筒の外周部のうち周方向２箇所に前記結合部が結合される２つの被結合部が設けられており、
前記レンズ電気接点部が、前記光軸方向において、前記外周部のうち前記２つの被結合部の間の位置に配置されていることを特徴とするレンズ鏡筒。
【請求項７】
前記２つの被結合部が、該レンズ鏡筒の外周部のうち前記操作部材よりもカメラとの接続部に近い部分に設けられていることを特徴とする請求項６に記載のレンズ鏡筒。
【請求項８】
操作部材と、
請求項１から７のいずれか一項に記載のレンズ駆動アダプタが取り外し可能に装着されるレンズ鏡筒とを有することを特徴とするレンズ装置。
【請求項９】
操作部材を備え、請求項１から７のいずれか一項に記載のレンズ駆動アダプタが取り外し可能に装着されるレンズ鏡筒と、
前記レンズ鏡筒に収容された撮影光学系により形成された被写体像を撮像する撮像素子とを有することを特徴とする撮像装置。
【発明の詳細な説明】
【技術分野】
【０００１】
本発明は、レンズ鏡筒に取り外し可能に装着されて該レンズ鏡筒の操作部材を駆動するレンズ駆動アダプタに関する。
【背景技術】
【０００２】
レンズ鏡筒には、ユーザよるマニュアルズーム操作やマニュアルフォーカス操作用の操作リング等の操作部材を備えたものがある。このような操作部材を、アクチュエータを用いて電動駆動するために、レンズ鏡筒の外周に取り外し可能に装着されるレンズ駆動アダプタが特許文献１等にて提案されている。
【０００３】
また、このようなレンズ駆動アダプタには、カメラとの通信を行いながら動作するものもある。例えば、ケーブルを介してカメラとの通信を可能とすることで、レンズ駆動アダプタをカメラから操作することもできる。
【０００４】
ただし、レンズ駆動アダプタとカメラとをケーブルで接続する構成では、小型化と取り扱いの容易さが求められるカメラシステムの構築を妨げることになる。このため、特許文献１のレンズ駆動アダプタのように、レンズ鏡筒との間での電源供給や信号のやり取りに用いられる電気接点を設けることも可能である。
【先行技術文献】
【特許文献】
【０００５】
【特許文献１】特開２００７−１０８３７３号公報
【発明の概要】
【発明が解決しようとする課題】
【０００６】
レンズ駆動アダプタは、これが装着されるレンズ鏡筒の小型化と操作リング等の操作部材の配置自由度の確保のため、光軸方向での端部（ただし、周方向の２箇所）がレンズ鏡筒に対して固定される、いわゆる片持ち支持されることが望ましい。しかしながら、片持ち支持されたレンズ駆動アダプタに設けた電気接点をレンズ鏡筒に設けた電気接点と接続する場合には、衝撃等の外力によってレンズ駆動アダプタがレンズ鏡筒に対して変位することで電気接点間の接続が不安定にならないようにする必要がある。
【０００７】
本発明は、レンズ鏡筒により片持ち支持される場合であっても、レンズ鏡筒に設けられた電気接点と安定的に接続が可能な電気接点を備えたレンズ駆動アダプタを提供する。また、本発明は、このようなレンズ駆動アダプタの装着が可能なレンズ鏡筒も提供する。
【課題を解決するための手段】
【０００８】
本発明の一側面としてのレンズ駆動アダプタは、操作部材を備えたレンズ鏡筒に対して取り外し可能に装着される。該アダプタは、操作部材に駆動力を伝達する駆動部材を含む駆動部と、レンズ鏡筒に設けられたレンズ電気接点部に接触することで該レンズ電気接点部に電気的に接続されるアダプタ電気接点部と、駆動部およびアダプタ電気接点部を保持するアダプタ本体とを有する。アダプタ本体は、レンズ鏡筒における周方向の２箇所に２つの結合部を結合させることでレンズ鏡筒に固定される。そして、アダプタ電気接点部は、レンズ鏡筒の光軸方向に対応する方向において、アダプタ本体のうち、駆動部材とは異なる位置であって、２つの結合部の間の位置に配置されていることを特徴とする。
【０００９】
なお、上記レンズ駆動アダプタの装着が可能なレンズ鏡筒であって、該レンズ鏡筒の外周部のうち周方向２箇所に上記結合部が結合される２つの被結合部が設けられており、レンズ電気接点部が、光軸方向において、外周部のうち２つの被結合部の間の位置に配置されているレンズ鏡筒も、本発明の他の一側面を構成する。
【発明の効果】
【００１０】
本発明によれば、レンズ駆動アダプタに設けられた電気接点をレンズ鏡筒に設けられた電気接点に対して安定的に接続することができる。特に、レンズ鏡筒により片持ち支持されたレンズ駆動アダプタが外力によってレンズ鏡筒に対して変位しても、アダプタの電気接点は該変位の支点付近に設けられているため、レンズ鏡筒の電気接点との接続を維持することができる。
【図面の簡単な説明】
【００１１】
【図１】本発明の実施例であるレンズ駆動アダプタと該アダプタが装着されたレンズ鏡筒の電気接点部の配置を示す断面図。
【図２】実施例のレンズ駆動アダプタと上記レンズ鏡筒と該レンズ鏡筒が装着されたカメラの電気的接続を示すブロック図。
【図３】実施例のレンズ駆動アダプタ、レンズ鏡筒およびカメラの外観を示す斜視図。
【図４】実施例のレンズ駆動アダプタのレンズ鏡筒に対する配置を示す図。
【発明を実施するための形態】
【００１２】
以下、本発明の実施例について図面を参照しながら説明する。
【００１３】
図３には、本発明の実施例であるレンズ駆動アダプタ１と、レンズ駆動アダプタ１が装着された交換レンズ(レンズ装置)の本体としてのレンズ鏡筒２と、レンズ鏡筒２が装着されたレンズ交換式デジタルカメラ（カメラ本体）３とを、下面側から見て示している。
【００１４】
レンズ鏡筒２とカメラ３はそれぞれ不図示のマウント（接続部）を有しており、これらマウントを機械的に結合させることでレンズ鏡筒２がカメラ３に装着される。また、各マウントにはカメラ３とレンズ鏡筒２間での通信およびカメラ３からレンズ鏡筒２への電源供給を行うための複数の電気接点が設けられており、マウント結合によって両マウントの対応する電気接点同士が電気的に接続される。
【００１５】
レンズ鏡筒２の内部には、複数のレンズ群および絞りを含む撮影光学系２０１が収容されている。一方、レンズ鏡筒２の外周面２０２上には、操作部材としてのレンズ操作リング２０３が設けられている。レンズ操作リング２０３は、レンズ鏡筒２の光軸を中心として回転が可能である。このレンズ操作リング２０３の回転に応じて、撮影光学系２０１に含まれる複数のレンズ群のうちいずれかのレンズ群を光軸に沿った方向（光軸方向）に移動させ、焦点距離を変化させたり焦点調節を行ったりすることができる。レンズ操作リング２０３の外周には被駆動ギアが形成されている。
【００１６】
レンズ駆動アダプタ１は、レンズ鏡筒２の外周面２０２の下面に取り外し可能に装着される。以下の説明において、レンズ鏡筒２の光軸方向に対応する方向をレンズ駆動アダプタ１でも光軸方向といい、レンズ鏡筒２の周方向に対応する方向をレンズ駆動アダプタ１でも周方向という。
【００１７】
レンズ駆動アダプタ１において、１０１はアダプタ本体を構成するケースであり、１０２はケース１０１の側面に設けられた操作スイッチである。１０７はケース１０１（つまりはレンズ駆動アダプタ１）をレンズ鏡筒２に固定するための結合部をそれぞれ構成する２つの固定ねじ（結合部材）である。
【００１８】
図４には、レンズ鏡筒２に装着されたレンズ駆動アダプタ１のケース１０１内の構造を、ケース１０１の下面を除去して下側（光軸方向に直交する方向）から見て示している。２００はレンズ鏡筒２の光軸を示している。また、図１には、レンズ駆動アダプタ１とこれが装着されたレンズ鏡筒２を図４中のＡ−Ａ線の位置にて切断したときの断面（光軸方向から見た光軸方向に直交する断面）を示している。
【００１９】
２つの固定ねじ１０７は、レンズ鏡筒２の外周部うち光軸方向にてレンズ操作リング２０３よりマウントに近い部分（以下、マウント側外周部という）２０４の周方向２箇所に設けられた被結合部としての雌ねじ部２０４１（図１参照）に締め込まれる（結合される）。これにより、レンズ駆動アダプタ１がレンズ鏡筒２に対して固定される。また、図３および図４に示すように、２つの固定ねじ１０７は、ケース１０１のうち光軸方向におけるマウント側の一端部をレンズ鏡筒２に固定する。これにより、レンズ駆動アダプタ１は、レンズ鏡筒２によって片持ち支持される。
【００２０】
なお、本実施例では結合部材として固定ねじ１０７を用いてレンズ駆動アダプタ１をレンズ鏡筒２に固定するが、他の結合部材を用いてもよい。例えば、レンズ鏡筒２に設けた磁石吸着部に吸着する磁石を用いたり、レンズ鏡筒２に設けた凹部に係合するピン等の係合部材を用いたりしてもよい。
【００２１】
また、本実施例では、レンズ駆動アダプタ１をレンズ鏡筒２に片持ち支持させる場合について説明するが、必ずしも片持ち支持させる必要はない。すなわち、レンズ駆動アダプタ１のマウント側端部とは反対側の端部も結合部材によってレンズ鏡筒２に固定してもよい。
【００２２】
ケース１０１内には、ＤＣモータ、ステッピングモータ、圧電素子等の駆動源１０３と、駆動部材であるリング駆動ギア１０６と、駆動源１０３の駆動力をリング駆動ギア１０６に伝達する減速ギア列とにより構成された駆動部が収容され、かつ保持されている。
【００２３】
図２には、レンズ駆動アダプタ１、レンズ鏡筒２およびカメラ３の機械的および電気的な接続関係を示している。
【００２４】
図１、図２および図４において、１０４は駆動制御部であり、操作スイッチ１０２の操作に応じて、駆動源１０３の駆動方向、駆動速度、駆動時間等を制御する。リング駆動ギア１０６は、レンズ駆動アダプタ１がレンズ鏡筒２に装着された状態でレンズ操作リング２０３の被駆動ギアに噛み合う（接触する）。このため、リング駆動ギア１０６が駆動源１０３からの駆動力により回転すると、該駆動力がレンズ操作リング２０３に伝達され、該レンズ操作リング２０６が回転駆動される。
【００２５】
なお、本実施例では、駆動部材としてリング駆動ギア１０６を用いているが、駆動部材として、レンズ操作リング２０３に接触してこれを駆動するローラーやベルト等の他の駆動部材を用いてもよい。
【００２６】
１０８はバッテリである（図２には示さず）。なお、レンズ駆動アダプタ１がレンズ鏡筒２やカメラ３から電源供給を受ける場合はバッテリ１０８は不要である。
【００２７】
図２において、１０５はレンズ駆動アダプタ１に設けられたアダプタ情報通信部であり、レンズ鏡筒２に設けられたレンズ情報通信部２０５と、レンズ駆動アダプタ１およびレンズ鏡筒２にそれぞれ設けられた電気接点部１０９，２０９を介して相互に通信する。
【００２８】
例えば、レンズ情報通信部２０５は、アダプタ情報通信部１０５に対して、撮像光学系２０１に含まれる変倍レンズ群およびフォーカスレンズ群の位置や撮像光学系２０１の焦点状態の情報を送信する。これらの情報をアダプタ情報通信部１０５を介して受けた駆動制御部１０４は、以下のような制御を行う。例えば、各レンズ群の位置の情報に基づいて、各レンズ群がそれらの可動範囲の機械端に衝突しないように駆動源１０３を制御する。また、焦点状態の情報に基づいて、焦点状態（例えば合焦状態）が変化しない駆動速度等の駆動条件で駆動源１０３を制御する。
【００２９】
また、アダプタ情報通信部１０５は、レンズ情報通信部２０５に対して、駆動源１０３（またはリング駆動ギア１０６）の回転方向や回転速度等の駆動情報を送信する。この駆動情報を受けたレンズ鏡筒２は、レンズ駆動アダプタ１によってレンズ操作リング２０３を介して駆動されるレンズ群の駆動速度に応じて他のレンズ群の駆動速度等を制御する。
【００３０】
さらに、アダプタ情報通信部１０５は、カメラ３からのレンズ駆動アダプタ１の駆動指示をカメラ３に設けられたカメラ情報通信部３０１およびレンズ情報通信部２０５を介して受信することができ、該駆動指示に応じて駆動制御部１０４が駆動源１０３を制御する。
【００３１】
なお、カメラ３には、撮影光学系により形成された被写体像を光電変換（撮像）する撮像素子３０５が設けられている。
【００３２】
次に、図１および図４を用いて、レンズ駆動アダプタ１およびレンズ鏡筒２に設けられた電気接点部１０９，２０９の配置について説明する。前述したように、レンズ駆動アダプタ１は、その光軸方向におけるマウント側の端部の周方向両側において固定ねじ１０７がレンズ鏡筒２のマウント側外周部２０４の雌ねじ部２０４１に締め込まれることでレンズ鏡筒２に片持ち支持状態で固定される。
【００３３】
レンズ駆動アダプタ１の電気接点部（アダプタ電気接点部：以下、アダプタ接点部という）１０９は、複数の接点ピンが電気絶縁性を有する保持部材によって保持されてユニット化されてケース１０１の上面部により保持されている。各接点ピンは、不図示のフレキシブル基板によって、図２に示したアダプタ情報通信部１０５や駆動源１０３等に接続されている。
【００３４】
また、各接点ピンは、弾性部材によってレンズ鏡筒２の電気接点部２０９に向けて付勢されており、これにより各接点ピンが確実にレンズ鏡筒２の電気接点部２０９の対応する接点ピンに接触する。
【００３５】
このようなアダプタ接点部１０９は、図４に示すように、光軸方向において、リング駆動ギア１０６とは異なる位置であって、２つの固定ねじ（結合部）１０７の間の位置に配置されている。より厳密には、図４のように光軸方向に直交する方向から見たときに、アダプタ接点部１０９は、その少なくとも一部が２つの固定ねじ１０７を結ぶ直線Ｄに重なる位置に配置されている。
【００３６】
また、アダプタ接点部１０９は、図１に示す断面において、すなわち光軸方向から見たときにも２つの固定ねじ１０７の間に配置されている。言い換えれば、レンズ鏡筒２の光軸２００の位置と２つの固定ねじ１０７のそれぞれを結ぶ２本の直線Ｂ，Ｃの間（直線Ｂ，Ｃがなす劣角側の角度α）の範囲内に配置されている。
【００３７】
一方、レンズ鏡筒２には、該レンズ鏡筒２の電気接点部（レンズ電気接点部：以下、レンズ接点部という）２０９が設けられている。具体的には、図１から理解できるように、マウント側外周部２０４のうちアダプタ接点部１０９に対応する位置、つまり光軸方向において２つの雌ねじ部（被結合部）２０４１の間の位置にレンズ接点部２０９が配置されている。図４における直線Ｂ，Ｃとの関係も、アダプタ接点部１０９と同様である。
【００３８】
レンズ接点部２０９も、アダプタ接点部１０９と同様に、複数の接点ピンが電気絶縁性を有する保持部材によって保持されてユニット化されており、各接点ピンは不図示のフレキシブル基板によって、図２に示したレンズ情報通信部２０５に接続されている。
【００３９】
以上説明したように、アダプタ接点部１０９は、光軸方向において（光軸方向から見たときにも）２つの固定ねじ１０７の間の位置に配置されている。アダプタ接点部１０９をこのように配置することで、以下のような効果が得られる。
【００４０】
固定ねじ１０７を介してレンズ鏡筒２により片持ち支持されたレンズ駆動アダプタ１にユーザ操作や衝撃等により外力が作用すると、ケース１０１が変形して固定ねじ１０７から離れた部分がレンズ鏡筒２に対して浮き上がったり捻れたりして変位する場合がある。この場合でも、アダプタ接点部１０９は変位の支点となる固定ねじ１０７に挟まれた領域、つまりは変位量が最も小さい（ほとんど変位しない）部分に配置されている。このため、上記のような変位が生じても、アダプタ接点部１０９とレンズ接点部２０９との安定的な接続が維持される。したがって、上記変位にかかわらず、レンズ駆動アダプタ１とレンズ鏡筒２の間、さらにはカメラ３との間の良好な通信を継続することができる。
【００４１】
なお、本実施例では、交換レンズとしてのレンズ鏡筒にレンズ駆動アダプタを装着する場合について説明したが、レンズ一体型カメラのレンズ鏡筒にレンズ駆動アダプタを装着することもできる。
【００４２】
以上説明した各実施例は代表的な例にすぎず、本発明の実施に際しては、各実施例に対して種々の変形や変更が可能である。
【符号の説明】
【００４３】
１  レンズ駆動アダプタ
１０３  駆動源
１０６  駆動部材
１０７  固定ねじ
１０９  電気接点部（アダプタ接点部）
２  レンズ鏡筒
２０３  レンズ操作リング
２０４１  雌ねじ部
２０５  電気接点部（レンズ接点部）
【図１】
2017015850.tif 000003
【図２】
2017015850.tif 000004
【図３】
2017015850.tif 000005
【図４】
2017015850.tif 000006